(57)【特許請求の範囲】
【請求項１】
天面部と、底面部と、正面部と、背面部と、及び左右一対の側面部とにより区画され、内部にロール状に巻回された家庭用薄葉紙を収納して、前記天面部から前記正面部にかけて設けられたミシン目を破断することにより形成された蓋部を開けて露出させた取出口から前記家庭用薄葉紙を取り出す家庭用薄葉紙収納箱において、
前記ミシン目は、前記正面部の上下方向の所定の位置に、左右方向に延在する第１ミシン目と、この第１ミシン目の両端から前記天面部との境界線を通って更に前記天面部の前後方向の所定の位置まで延在する一対の第２ミシン目と、を備え、
前記ミシン目を破断することによって、平面視コ字状の切込みが形成されるとともに、前記一対の第２ミシン目の背面部側の端部同士を結ぶ左右方向に平行な線をヒンジ軸として折り曲げることで、前記ミシン目で囲まれた部分により前記蓋部が形成され、
前記一対の第２ミシン目が破断されることにより前記天面部に形成された一対の天面開口縁部は、前記天面部の前後方向の所定の位置で互いに対向するように設けられた凹部又は凸部からなる係止部を備え、
前記蓋部は、前後方向に延在する一対の端部のうち前記正面部の前記第２ミシン目により形成された部位に、前記係止部に係止される被係止部を備えることを特徴とする家庭用薄葉紙収納箱。
【請求項２】
請求項１記載の家庭用薄葉紙収納箱において、
前記蓋部は、前記天面部と前記正面部との境界線にて屈曲した形状をなし、前記天面部側の天面蓋部と前記正面部側の正面蓋部と、を備え、
前記係止部は、凹部により形成され、
前記正面蓋部は、前記境界線から先端側に漸次幅広となる幅広部を備え、
前記幅広部は、中間にて前記係止部間の幅と等しくなる等幅部位を備え、
前記等幅部位が、前記被係止部を構成することを特徴とする家庭用薄葉紙収納箱。
【請求項３】
請求項２に記載の家庭用薄葉紙収納箱において、
前記係止部は、Ｖ字状をなしていることを特徴とする家庭用薄葉紙収納箱。
【請求項４】
請求項３に記載の家庭用薄葉紙収納箱において、
前記係止部のＶ字状をなす角度（θ）が、３０〜１２０度であり、
前記係止部の深さ（ｅ１）が、１〜１０ｍｍであることを特徴とする家庭用薄葉紙収納箱。
【請求項５】
請求項１〜４の何れか一項に記載の家庭用薄葉紙収納箱において、
前記蓋部の先端に、前記家庭用薄葉紙を切断するための切断部が設けられ、
前記切断部の形状が、鋸刃状に形成されていることを特徴とする家庭用薄葉紙収納箱。
【発明の詳細な説明】
【技術分野】
【０００１】
本発明は、家庭用薄葉紙収納箱に関する。
【背景技術】
【０００２】
従来、ロール状に巻回された家庭用薄葉紙を内部に収容し、上面部などに設けられた取出口から内部に収容された家庭用薄葉紙を取り出して使用する家庭用薄葉紙収納箱が知られている。
このような家庭用薄葉紙収納箱として、例えば、天板に、ヒンジ部を設け、このヒンジ部を介してシート取出口を塞ぐ蓋部を天板に一体的に連設し、蓋部の先端側に折線を介して差込片を形成する一方、ヒンジ部の後方にスリットをヒンジ部と平行に設けてなり、蓋部をヒンジ部を介して後方に反転させ、蓋部の先端側の差込片をスリット内に差し込み固定して蓋部を断面が３角形状となるように折り曲げたうえで天板上に保持させることが可能な家庭用薄葉紙収納箱が知られている（特許文献１参照。）。
【先行技術文献】
【特許文献】
【０００３】
【特許文献１】特開平９−２９５６３７号公報
【発明の概要】
【発明が解決しようとする課題】
【０００４】
しかしながら、特許文献１に記載の家庭用薄葉紙収納箱は、蓋部をヒンジ部を介して後方に反転させ、蓋部の先端側の差込片をスリット内に差し込み固定して蓋部を断面が３角形状となるように折り曲げたうえで天板上に保持させるので、蓋部の保持作業が煩雑となっていた。
また、蓋部の先端側の差込片が反転されてスリット内に差し込まれるので、蓋部を閉じる場合に反対に折り曲げたくせが残り、十分に閉まらないという問題があった。
更に、蓋部の先端側に差込片が設けられているため、蓋部の先端をロール状シートが切断されやすい形状に形成することが難しいという問題があった。
【０００５】
本発明の課題は、蓋部を天面部に保持させやすく、且つ蓋部を閉めやすく、更に、蓋部の先端をロール状シートが切断されやすい形状に形成することが容易な家庭用薄葉紙収納箱を提供することである。
【課題を解決するための手段】
【０００６】
上記課題を解決するために、請求項１に記載の発明は、天面部と、底面部と、正面部と、背面部と、及び左右一対の側面部とにより区画され、内部にロール状に巻回された家庭用薄葉紙を収納して、前記天面部から前記正面部にかけて設けられたミシン目を破断することにより形成された蓋部を開けて露出させた取出口から前記家庭用薄葉紙を取り出す家庭用薄葉紙収納箱において、
前記ミシン目は、前記正面部の上下方向の所定の位置に、左右方向に延在する第１ミシン目と、この第１ミシン目の両端から前記天面部との境界線を通って更に前記天面部の前後方向の所定の位置まで延在する一対の第２ミシン目と、を備え、
前記ミシン目を破断することによって、平面視コ字状の切込みが形成されるとともに、前記一対の第２ミシン目の背面部側の端部同士を結ぶ左右方向に平行な線をヒンジ軸として折り曲げることで、前記ミシン目で囲まれた部分により前記蓋部が形成され、
前記一対の第２ミシン目が破断されることにより前記天面部に形成された一対の天面開口縁部は、前記天面部の前後方向の所定の位置で互いに対向するように設けられた凹部又は凸部からなる係止部を備え、
前記蓋部は、前後方向に延在する一対の端部のうち前記正面部の前記第２ミシン目により形成された部位に、前記係止部に係止される被係止部を備えることを特徴とする。
【０００７】
請求項２に記載の発明は、請求項１記載の家庭用薄葉紙収納箱において、
前記蓋部は、前記天面部と前記正面部との境界線にて屈曲した形状をなし、前記天面部側の天面蓋部と前記正面部側の正面蓋部と、を備え、
前記係止部は、凹部により形成され、
前記正面蓋部は、前記境界線から先端側に漸次幅広となる幅広部を備え、
前記幅広部は、中間にて前記係止部間の幅と等しくなる等幅部位を備え、
前記等幅部位が、前記被係止部を構成することを特徴とする。
【０００８】
請求項３に記載の発明は、請求項２記載の家庭用薄葉紙収納箱において、
前記係止部は、Ｖ字状をなしていることを特徴とする。
【０００９】
請求項４に記載の発明は、請求項３記載の家庭用薄葉紙収納箱において、
前記係止部のＶ字状をなす角度（θ）が、３０〜１２０度であり、
前記係止部の深さ（ｅ１）が、１〜１０ｍｍであることを特徴とする。
【００１０】
請求項５に記載の発明は、請求項１〜４の何れか一項に記載の家庭用薄葉紙収納箱において、
前記蓋部の先端に、前記家庭用薄葉紙を切断するための切断部が設けられ、
前記切断部の形状が、鋸刃状に形成されていることを特徴とする。
【発明の効果】
【００１１】
請求項１記載の発明によれば、一対の天面開口縁部に備えられた凹部又は凸部からなる係止部に、蓋部に設けられた被係止部を係止させることで蓋部を天面部に保持させることができるので、従来のように蓋部の先端を反転させて係止部に係止させるものに比べて、蓋部を容易に天面部に保持させることができる。
また、蓋部の先端を反対向きに折り曲げる必要がないので、従来のように蓋部の先端を反対側に折り曲げて係止部に係止させるものに比べて、折り曲げぐせが少なく蓋部を閉め易い。
更に、蓋部の先端側に差込片を設ける必要がないため、蓋部の先端をロール状の家庭用薄葉紙が切断されやすい形状に形成することが容易である。
【００１２】
請求項２記載の発明によれば、凹部により形成された係止部に、正面蓋部に備えられた幅広部を差し込んで上方に上げると、途中で幅広部の等幅部位が係止部に引っ掛かり、蓋部が係止部に係止される。従って、所謂くさび効果により、蓋部がより強固に係止部に係止されることとなる。
また、蓋部の先端部分でロール状の家庭用薄葉紙を切断する際に上方に力が掛かっても、蓋部が係止部から外れないため、好適に家庭用薄葉紙を切断することができる。
【００１３】
請求項３記載の発明によれば、係止部がＶ字状をなしているので、蓋部と係止部との間のくさび効果をより効果的に発揮させることができる。
【００１４】
請求項４記載の発明によれば、係止部のＶ字状をなす角度（θ）と係止部の深さ（ｅ１）とが好適な寸法で形成されているので、より確実に蓋部を係止部に係止させることができる。
【００１５】
請求項５記載の発明によれば、破断部の形状が鋸刃状に形成されているので、ロール状の家庭用薄葉紙をより容易に切断することができる。
【図面の簡単な説明】
【００１６】
【図１】第１実施形態のロール状シート収納箱の一例を示す斜視図である。
【図２】図１のロール状シート収納箱を展開した展開図である。
【図３】図１のロール状シート収納箱の蓋部を開いた状態（はめ込み前）を示す斜視図である。
【図４】図１のロール状シート収納箱の蓋部を開いた状態（はめ込み後）を示す斜視図である。
【図５】係止部の変形例を示す説明図である。
【図６】各寸法を説明するための説明図である。
【図７】切断部の変形例であるロール状シート収納箱の蓋部を開いた状態（はめ込み後）を示す斜視図である。
【図８】第２実施形態のロール状シート収納箱の一例を示す斜視図である。
【図９】図８のロール状シート収納箱の蓋部を開いた状態（はめ込み後）を示す斜視図である。
【発明を実施するための形態】
【００１７】
以下、図を参照して、本発明の実施の形態を詳細に説明する。ただし、発明の範囲は、図示例に限定されない。
（第１実施形態）
本実施形態では、家庭用薄葉紙収納箱として、ロール状シート収納箱を例示して説明を行う。
なお、以下の説明では、ロール状シート収納箱の厚み方向を上下方向（高さ）とし、ロール状シート収納箱の長辺方向を左右方向（幅）、上下方向及び左右方向の双方に直交する方向を前後方向（奥行き）とする。
【００１８】
本実施形態のロール状シート収納箱１０は、例えば、図１〜４に示すように、天面部１、底面部２、正面部３、背面部４、及び左右一対の側面部５（５ａ、５ｂ）により区画された箱体である。このロール状シート収納箱１０の内部には、ロール状シート２０が収納され、天面部１から正面部３に亘って形成された取出口６からロール状シート２０を外部へ引き出して使用するようになっている。
ここで、「箱体」とは、ロール状シート２０を収納し得る内部空間が形成される形状のものであり、例えば、直方体状、立方体状等の六面体状のものを挙げることができる。例えば、図１は、ロール状シート収納箱１０を直方体状に構成した例である。
【００１９】
また、本実施形態のロール状シート収納箱１０を構成する材質について特に制限はないが、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
ロール状シート収納箱１０の大きさは特に限定するものではないが、例えば、左右方向の幅が、２４０〜２５０ｍｍ、前後方向の奥行きが、１１０〜１２０ｍｍ、高さ方向の高さが、１１０〜１２０ｍｍとされている。
【００２０】
また、「ロール状シート」とは、長尺な家庭用薄葉紙を芯（図示省略）の周囲に巻回されたものであるが、その種類について特に制限はなく、例えば、キッチンペーパー（キッチンタオル、クッキングペーパー等）、トイレットペーパー、ティシュペーパー（顔ふき紙、化粧紙等と呼ばれるもの）、等の使い捨て紙等を挙げることができる。
かかるロール状シート２０には、巻回方向の所定間隔毎にミシン目（図示省略）が設けられており、取出口６から引き出して使用する際に所要の長さで切り離すことができるようになっている。
【００２１】
天面部１、底面部２、正面部３、背面部４の両側縁からは、例えば、図２に示すように、それぞれ、一対の天面側フラップ１１，１２、一対の底面側フラップ２１，２２、一対の正面側フラップ３１，３２、一対の背面側フラップ４１，４２、が延出している。これらのフラップは、それぞれ、天面部１、底面部２、正面部３、背面部４との接続部（境界線）において内側に折り曲げられ、重なり合った状態で互いに糊付けされて側面部５（５ａ，５ｂ）が形成されるようになっている。
【００２２】
天面部１から正面部３に亘っては、取出口６の外周形状と一致するように形成された取出口形成用のミシン目６１が設けられている。
より具体的には、ミシン目６１は、正面部３の上下方向の所定の位置に、左右方向に延在する第１ミシン目６１ａと、この第１ミシン目６１ａの両端から天面部１との境界線Ｂを通って更に天面部１の前後方向の所定の位置まで延在する第２ミシン目６１ｂ、６１ｂとで構成される。そして、ユーザがこのミシン目６１を破断することによって、平面視コ字状の切込みが形成されるとともに、第２ミシン目６１ｂ、６１ｂの背面部４側の端部同士を結ぶ左右方向に平行な線をヒンジ軸７ａとして折り曲げることで、ミシン目６１で囲まれた部分が蓋部７を形成するようになっている。
この蓋部７を、ヒンジ軸７ａにより回動させることで、取出口６を露出させたり、塞いだりすることができるようになっており、露出させた状態の取出口６からロール状シート２０を取り出すことが可能となる。
【００２３】
蓋部７は、例えば、図２に示すように、左右方向に長尺な形状に形成されており、天面部１と正面部３との境界線Ｂにて屈曲した形状をなし、天面部１側の天面蓋部７１と正面部３側の正面蓋部７２とにより構成されている。
【００２４】
天面蓋部７１は、ヒンジ軸７ａから前後方向に延在する直線部７１ａと、この直線部７１ａと連続するとともに境界線Ｂ近傍に位置し、左右方向外側に突出した突出部７１ｂと、を備えている。
正面蓋部７２は、境界線Ｂから先端側に漸次幅広となる幅広部７２ａと、この幅広部７２ａと連続し、左右方向内側に凹んだ凹み部７２ｂと、正面蓋部７２の先端に位置し、ロール状シートを切断する切断部７２ｃを備えている。
幅広部７２ａは、中間にて後述する凹部１３ａ、凹部１３ａ間の幅と等しくなる等幅部位７２ａ１を備え、この等幅部位７２ａ１が、被係止部を構成する。
切断部７２ｃは、左右方向に直線状に形成されている。これにより、ロール状シート２０を切断部７２ｃにより容易に切断することができる。
【００２５】
天面部１には、第２ミシン目６１ｂ、６１ｂが破断されることにより形成され、取出口６に面する左右一対の天面開口縁部１３、１３を備えている。
天面開口縁部１３、１３は、天面蓋部７１の突出部７１ｂに対応する位置に設けられた係止部としての左右一対の凹部１３ａ、１３ａを備えている。
凹部１３ａは、平面視Ｖ字状をなしている。なお、凹部１３ａの先端部の形状は、例えば、図５（ａ）に示すように、尖った形状であってもよいし、図５（ｂ）に示すように、丸みを帯びた形状であってもよい。
また、左右一対の凹部１３ａ、１３ａ間の距離は、幅広部７２ａの等幅部位７２ａ１の幅と等しくされている。
【００２６】
正面部３には、第１ミシン目６１ａ及び第２ミシン目６１ｂ、６１ｂが破断されることにより形成され、取出口６に面する左右一対の正面開口縁部３３、３３を備えている。
正面開口縁部３３、３３は、正面蓋部７２の幅広部７２ａに対応する傾斜部３３ａ、３３ａと、凹み部７２ｂに対応する突部３３ｂ、３３ｂと、切断部７２ｃに対応する下縁部３３ｃを備えている。
突部３３ｂ、３３ｂ間の幅は、ロール状シート２０の左右方向の幅よりも短くされ、ロール状シートの巻径が小さくなってもロール状シート収納箱１０に収納されたロール状シート２０が容易に箱外に飛び出さないようになっている。
【００２７】
次に、蓋部７の天面部１への係止動作について説明する。
まず、図３に示すように、蓋部７をヒンジ軸７ａを軸として背面部４に回動させ、正面蓋部７２を左右方向の軸に対して少し斜めに曲げて取出口６内に挿入するとともに、凹部１３ａ、１３ａ内に幅広部７２ａを位置させて正面蓋部７２を上方に上げる。すると、図４に示すように、幅広部７２ａの等幅部位７２ａ１が凹部１３ａに係止される。これにより、蓋部７が天面部１に係止される。
そして、取出口６からロール状シート２０を取り出して、正面蓋部７２の切断部７２ｃによりロール状シート２０を適宜の長さで切断する。
【００２８】
次に、ロール状シート収納箱１０の凹部１３ａ、幅広部７２ａの各寸法について規定する。
図６に示す天面部１の背面部４との境界線からヒンジ軸７ａまでの前後方向の長さ（ａ）は、１０ｍｍ以上である。
ここで、長さ（ａ）を１０ｍｍ以上としたのは、１０ｍｍより短いとカートナーでの成形時に天面部１が裂ける可能性があるからである。
【００２９】
図６に示す正面部３と底面部２との境界線から正面蓋部７２までの上下方向の長さ（ｂ）は、１５ｍｍ以上である。
ここで、長さ（ｂ）を１５ｍｍ以上としたのは、１５ｍｍよりも短いとカートナーでの成形時に正面部３が裂ける可能性があるからである。
【００３０】
図６に示す正面部３と側面部５との境界線から幅広部７２ａの最大幅部までの左右方向の長さ（ｃ）は、１０ｍｍ以上である。
ここで、長さ（ｃ）を１０ｍｍ以上としたのは、１０ｍｍよりも短いとカートナーでの成形時に正面部３が裂ける可能性があるからである。
【００３１】
図６に示す正面部３と側面部５との境界線から凹み部７２ｂまでの最大の左右方向の長さ（ｄ）は、（ｃ＋１）ｍｍ〜（ｃ＋１０）ｍｍの範囲、より好ましくは（ｃ＋１）ｍｍ〜（ｃ＋５）ｍｍである。
ここで、長さ（ｄ）を（ｃ＋１）ｍｍ〜（ｃ＋１０）ｍｍとしたのは、蓋部７の「はめ込みやすさ」と「蓋部の歪み」と「保持力」のバランスが図れるからである。特に、（ｃ＋１）ｍｍ〜（ｃ＋５）ｍｍの範囲であれば、「はめ込みやすさ」と「蓋部の歪みのなさ」に優れる。
【００３２】
図６に示す正面部３と側面部５との境界線から凹部１３ａまでの最小の左右方向の長さ（ｅ）は、長さ（ｄ）と同じである。
長さ（ｄ）と長さ（ｅ）を同じにした理由は、（ｄ）＞（ｅ）の場合、係止部が緩み保持力が落ち、（ｅ）＞（ｄ）の場合、蓋部が歪むからである。
【００３３】
図５に示す凹部１３ａのＶ字状をなす角度（θ）は、３０〜１２０度の範囲、より好ましくは５０〜９０度の範囲である。
ここで、角度（θ）を３０〜１２０度としたのは、蓋部７の凹部１３ａへの「はめ込み易さ」と「保持力」とを考慮したものであり、特に、角度（θ）を５０〜９０度の範囲にすると、「はめ込み易さ」と「保持力」のバランスに優れる。
【００３４】
図５に示す凹部の深さ（ｅ１）は、１〜１０ｍｍの範囲、より好ましくは１〜５ｍｍの範囲である。
ここで、深さ（ｅ１）を１〜１０ｍｍとしたのは、蓋部７の凹部１３ａへの「はめ込み易さ」と「保持力」とを考慮したものであり、特に、深さ（ｅ１）を１〜１０ｍｍの範囲にすると、「はめ込み易さ」と「保持力」のバランスに優れる。
【００３５】
次に、ロール状シート収納箱１０の凹部１３ａ、幅広部７２ａの各寸法を規定した根拠を、実験結果を基に説明する。
（１）長さ（ａ）の根拠
［実験条件］
家庭用薄葉紙収納箱として、左右方向の幅が、２４３ｍｍ、前後方向の奥行きが、１１５ｍｍ、上下方向の高さが、１１５ｍｍのロール状シート収納箱を使用した。
長さ（ａ）の寸法は、５ｍｍ、８ｍｍ、１０ｍｍ、１５ｍｍ、２０ｍｍの５水準である。
長さ（ｂ）の寸法は、１５ｍｍである。長さ（ｃ）の寸法は、１５ｍｍである。長さ（ｄ）の寸法は、１７ｍｍである。長さ（ｅ）の寸法は、１７ｍｍである。長さ（ｅ１）の寸法は、２ｍｍである。角度（θ）は、５０°である。
［評価方法］
家庭用薄葉紙収納箱成形時の破れ、折れの発生の有無の評価であり、
○；破れ、折れの発生なし
×；破れ、折れの発生あり
で行った。
その結果を表１に示す。
［実験結果］
【表１】
0005475552.tif 000002
【００３６】
表１に示すように、長さ（ａ）が、１０ｍｍ以上であれば、ロール状シート収納箱成形時の破れ、折れが発生しないことが分かった。
【００３７】
（２）長さ（ｂ）の根拠
［実験条件］
家庭用薄葉紙収納箱として、左右方向の幅が、２４３ｍｍ、前後方向の奥行きが、１１５ｍｍ、上下方向の高さが、１１５ｍｍのロール状シート収納箱を使用した。
長さ（ａ）の寸法は、１０ｍｍである。長さ（ｂ）の寸法は、５ｍｍ、８ｍｍ、１０ｍｍ、１５ｍｍ、２０ｍｍの５水準である。長さ（ｃ）の寸法は、１５ｍｍである。長さ（ｄ）の寸法は、１７ｍｍである。長さ（ｅ）の寸法は、１７ｍｍである。長さ（ｅ１）の寸法は、２ｍｍである。角度（θ）は、５０°である。
［評価方法］
家庭用薄葉紙収納箱成形時の破れ、折れの発生の有無の評価であり、
○；破れ、折れの発生なし
×；破れ、折れの発生あり
で行った。
その結果を表２に示す。
［実験結果］
【表２】
0005475552.tif 000003
【００３８】
表２に示すように、長さ（ｂ）が、１５ｍｍ以上であれば、ロール状シート収納箱成形時の破れ、折れが発生しないことが分かった。
【００３９】
（３）長さ（ｃ）の根拠
［実験条件］
家庭用薄葉紙収納箱として、左右方向の幅が、２４３ｍｍ、前後方向の奥行きが、１１５ｍｍ、上下方向の高さが、１１５ｍｍのロール状シート収納箱を使用した。
長さ（ａ）の寸法は、１０ｍｍである。長さ（ｂ）の寸法は、１５ｍｍである。長さ（ｃ）の寸法は、５ｍｍ、８ｍｍ、１０ｍｍ、１５ｍｍ、２０ｍｍの５水準である。長さ（ｄ）の寸法は、１７ｍｍである。長さ（ｅ）の寸法は、１７ｍｍである。長さ（ｅ１）の寸法は、２ｍｍである。角度（θ）は、５０°である。
［評価方法］
家庭用薄葉紙収納箱成形時の破れ、折れの発生の有無の評価であり、
○；破れ、折れの発生なし
×；破れ、折れの発生あり
で行った。
その結果を表３に示す。
［実験結果］
【表３】
0005475552.tif 000004
【００４０】
表３に示すように、長さ（ｃ）が、１０ｍｍ以上であれば、ロール状シート収納箱成形時の破れ、折れが発生しないことが分かった。
【００４１】
（４）長さ（ｄ）、（ｅ）の根拠
［実験条件］
家庭用薄葉紙収納箱として、左右方向の幅が、２４３ｍｍ、前後方向の奥行きが、１１５ｍｍ、上下方向の高さが、１１５ｍｍのロール状シート収納箱を使用した。
長さ（ａ）の寸法は、１０ｍｍである。長さ（ｂ）の寸法は、１５ｍｍである。長さ（ｃ）の寸法は、１０ｍｍである。長さ（ｄ）の寸法は、１１ｍｍ、１３ｍｍ、１５ｍｍ、２０ｍｍ、２５ｍｍの５水準である。長さ（ｅ）の寸法は、１１ｍｍ、１３ｍｍ、１５ｍｍ、２０ｍｍ、２５ｍｍの５水準である。長さ（ｅ１）の寸法は、２ｍｍである。角度（θ）は、５０°である。
［評価方法］
「はめ込みやすさ」、「蓋部歪み」、「保持力」により評価を行った。
「はめ込みやすさ」の評価は、
◎；ユーザ１０人中０人が蓋部をはめ込みにくいと感じた場合
○；ユーザ１０人中１〜４人が切込み部をはめ込みにくいと感じた場合
×；ユーザ１０人中５人以上が切込み部をはめ込みにくいと感じた場合
で行った。
「蓋部歪み」の評価は、
◎；ユーザ１０人中０人が蓋部が歪むと感じた場合
○；ユーザ１０人中１〜４人が蓋部が歪むと感じた場合
×；ユーザ１０人中５人以上が蓋部が歪むと感じた場合
「保持力」の評価は、
◎；ユーザ１０人中０人が保持力が悪いと感じた場合
○；ユーザ１０人中１〜４人が保持力が悪いと感じた場合
×；ユーザ１０人中５人以上が保持力が悪いと感じた場合
で行った。
その結果を表４に示す。
［実験結果］
【表４】
0005475552.tif 000005
【００４２】
表４に示すように、長さ（ｄ）、（ｅ）が、（ｃ＋１）ｍｍ〜（ｃ＋１０）ｍｍの範囲であれば、蓋部７の「はめ込みやすさ」と「蓋部の歪み」と「保持力」のバランスが図れることが分かった。特に、（ｃ＋１）ｍｍ〜（ｃ＋５）ｍｍの範囲であれば、「はめ込みやすさ」と「蓋部の歪み」に優れることが分かった。
【００４３】
（５）深さ（ｅ１）と角度（θ）の根拠
［実験条件］
家庭用薄葉紙収納箱として、左右方向の幅が、２４３ｍｍ、前後方向の奥行きが、１１５ｍｍ、上下方向の高さが、１１５ｍｍのロール状シート収納箱を使用した。
長さ（ａ）の寸法は、１０ｍｍである。長さ（ｂ）の寸法は、１５ｍｍである。長さ（ｃ）の寸法は、１０ｍｍである。長さ（ｄ）の寸法は、１７ｍｍである。長さ（ｅ）の寸法は、１７ｍｍである。長さ（ｅ１）の寸法は、１ｍｍ、３ｍｍ、５ｍｍ、７ｍｍ、１０ｍｍ、１３ｍｍの６水準である。角度（θ）は、２０度、３０度、５０度、９０度、１２０度、１３５度である。
［評価方法］
ユーザ１０人による、蓋部７の「はめ込みやすさ」と「保持力」についての官能評価であり、
◎；「はめ込みにくい」、「保持力が弱い」と感じた人数が０人
○；「はめ込みにくい」、「保持力が弱い」の何れかを感じた人数が１〜４人
×；「はめ込みにくい」、「保持力が弱い」の何れかを感じた人数が５人以上
で行った。
その結果を表５に示す。
［実験結果］
【表５】
0005475552.tif 000006
【００４４】
表５に示すように、深さ（ｅ１）が１〜１０ｍｍの範囲、且つ角度（θ）が、３０〜１２０度の範囲で「はめ込みやすさ」と「保持力」が良好であることが分かる。また、特に、深さ（ｅ１）が１〜５ｍｍの範囲で、且つ角度（θ）が５０〜９０度の範囲で「はめ込みやすさ」と「保持力」のバランスが優れていることが分かる。
【００４５】
以上、上記実施形態に係るロール状シート収納箱１０によれば、一対の天面開口縁部１３に備えられた凹部１３ａに、蓋部７に設けられた幅広部７２ａの等幅部位７２ａ１を係止させることで蓋部７を天面部１に保持させることができるので、従来のように蓋部の先端を反転させて係止部に係止させるものに比べて、蓋部７を容易に天面部１に保持させることができる。
また、蓋部７の先端を反対向きに折り曲げる必要がないので、従来のように蓋部の先端を反対側に折り曲げて係止部に係止させるものに比べて、折り曲げぐせが少なく蓋部７を閉め易い。
更に、蓋部７の先端側に差込片を設ける必要がないため、蓋部７の先端をロール状シートが切断されやすい形状に形成することが容易である。
【００４６】
また、凹部１３ａに、正面蓋部７２に備えられた幅広部７２ａを差し込んで上方に上げると、途中で幅広部７２ａの等幅部位７２ａ１が凹部１３ａに引っ掛かり、蓋部７が凹部１３ａに係止される。従って、所謂くさび効果により、蓋部７がより強固に凹部１３ａに係止されることとなる。
また、蓋部７の切断部７２ｃでロール状シート２０を切断する際に上方に力が掛かっても、蓋部７が凹部１３ａから外れないため、好適にロール状シート１０を切断することができる。
【００４７】
また、凹部１３ａがＶ字状をなしているので、蓋部７と凹部１３ａとの間のくさび効果をより効果的に発揮させることができる。
また、凹部１３ａのＶ字状をなす角度（θ）と凹部１３ａの深さ（ｅ１）とが好適な寸法で形成されているので、より確実に蓋部７を凹部１３ａに係止させることができる。
【００４８】
なお、図７に示すロール状シート収納箱１０ａのように、切断部７２ｃ１の形状は、鋸刃状に形成されていてもよい。このようにすることで、例えば、ロール状シート２０にミシン目が形成されていなくても、ロール状シート２０をより容易に切断することができる。
【００４９】
（第２実施形態）
以下、本実施形態の家庭用薄葉紙収納箱としてのロール状シート収納箱１００について説明する。
なお、ロール状シート収納箱１００の説明にあたり、ロール状シート収納箱１０と同様の構成については同一の符号を付して、その説明を省略する。
【００５０】
ロール状シート収納箱１００は、例えば、図８、図９に示すように、天面部１、底面部２、正面部３、背面部４、及び左右一対の側面部５（５ａ、５ｂ）により区画された箱体である。このロール状シート収納箱１００の内部には、ロール状シート２０が収納され、天面部１から正面部３に亘って形成された取出口６０からロール状シート２０を外部へ引き出して使用するようになっている。
【００５１】
天面部１には、取出口６０の外周形状と一致するように形成された取出口形成用のミシン目６０１が設けられている。
より具体的には、ミシン目６０１は、正面部３の上下方向の所定の位置に、左右方向に延在する第１ミシン目６０１ａと、この第１ミシン目６０１ａの両端から天面部１との境界線Ｂを通って更に天面部１の前後方向の所定の位置まで延在する第２ミシン目６０１ｂ、６０１ｂとで構成される。そして、ユーザがこのミシン目６０１を破断することによって、平面視コ字状の切込みが形成されるとともに、第２ミシン目６０１ｂ、６０１ｂの背面部４側の端部同士を結ぶ左右方向に平行な線をヒンジ軸７０ａとして折り曲げることで、ミシン目６０１で囲まれた部分が蓋部７０を形成するようになっている。
【００５２】
この蓋部７０を、ヒンジ軸７０ａにより回動させることで、取出口６０を露出させたり、塞いだりすることができるようになっており、露出させた状態の取出口６０からロール状シート２０を取り出すことが可能となる。
蓋部７０は、例えば、図９に示すように、左右方向に長尺な形状に形成されており、天面部１と正面部３との境界線Ｂにて屈曲した形状をなし、天面部１側の天面蓋部７０１と正面部３側の正面蓋部７０２とにより構成されている。
【００５３】
天面蓋部７０１は、ヒンジ軸７０ａから前後方向に平行な第１直線部７０１ａと、この第１直線部７０１ａと連続するとともに境界線Ｂ近傍に位置し、左右方向内側に凹んだ天面蓋凹み部７０１ｂと、を備えている。
正面蓋部７０２は、境界線Ｂから先端側に直線的に延在する第２直線部７０２ａと、この第２直線部７０２ａと連続し、左右方向外側に突出した正面蓋突出部７０２ｂと、正面蓋部７０２の先端に位置し、ロール状シート２０を切断する切断部７０２ｃを備えている。
第２直線部７０２ａは、後述する凸部１３０ａに係止される被係止部を構成する。
【００５４】
天面部１には、第２ミシン目６０１ｂ、６０１ｂが破断されることにより形成され、取出口６０に面する左右一対の天面開口縁部１３０、１３０を備えている。
天面開口縁部１３０、１３０は、天面蓋部７０１の天面蓋凹み部７０１ｂに対応する位置に設けられた係止部としての左右一対の凸部１３０ａ、１３０ａを備えている。
左右一対の凸部１３０ａ、１３０ａ間の距離は、第２直線部７０２ａよりも狭くなっている。従って、蓋部７０を取出口６０に挿入した場合、第２直線部７０２ａをこの左右一対の凸部１３０ａ、１３０ａに係止させることができるようになっている。
【００５５】
正面部３には、第１ミシン目６０１ａ及び第２ミシン目６０１ｂ、６０１ｂが破断されることにより形成され、取出口６０に面する左右一対の正面開口縁部３３０、３３０を備えている。
正面開口縁部３３０、３３０は、正面蓋部７０２の第２直線部７０２ａに対応する側面縁部３３０ａ、３３０ａと、正面蓋突出部７０２ｂ、７０２ｂに対応する凹み部３３０ｂ、３３０ｂと、切断部７０２ｃに対応する下縁部３３０ｃを備えている。
【００５６】
次に、蓋部７０の天面部１への係止動作について説明する。
まず、蓋部７０をヒンジ軸７０ａを軸として背面部４に回動させ、正面蓋部７０２を左右方向の軸に対して少し斜めに曲げて取出口６０内に挿入する。すると、図９に示すように、第２直線部７０２ａが凸部１３０ａに係止される。これにより、蓋部７０が天面部１に係止される。
そして、取出口６０からロール状シート２０を取り出して、正面蓋部７０２の切断部７０２ｃによりロール状シート２０を適宜の長さで切断する。
【００５７】
以上、本発明に係るロール状シート収納箱１００によれば、一対の天面開口縁部１３０に備えられた凸部１３０ａに、蓋部７０の第２直線部７０２ａを係止させることで蓋部７０を天面部１に保持させることができるので、従来のように蓋部の先端を反転させて係止部に係止させるものに比べて、蓋部７０を容易に天面部１に保持させることができる。
また、蓋部７０の先端を反対向きに折り曲げる必要がないので、従来のように蓋部の先端を反対側に折り曲げて係止部に係止させるものに比べて、折り曲げぐせが少なく蓋部７０を閉め易い。
更に、蓋部７０の先端側に差込片を設ける必要がないため、蓋部７０の先端をロール状シート２０が切断されやすい形状に形成することが容易である。
また、蓋部７０の切断部７０２ｃでロール状シート２０を切断する際に、上方に力が掛かっても、正面蓋突出部７０２ｂが天面部１に引っ掛かるので蓋部７０が天面部１から外れないため、好適にロール状シート２０を切断することができる。
【００５８】
なお、本実施形態のロール状シート収納箱１０においても、切断部７０２ｃの形状を鋸刃形状としてもよい。
また、凸部１３０ａを、天面開口縁部１３０、１３０の前後方向に所定の間隔で二つ設け、凸部１３０ａの間に蓋部７０を係止させてもよい。
【符号の説明】
【００５９】
１０  ロール状シート収納箱（家庭用薄葉紙収納箱）
１  天面部
１３  天面開口縁部
１３ａ  凹部（係止部）
１３０  天面開口縁部
１３０ａ  凸部（係止部）
２  底面部
３  正面部
４  背面部
５（５ａ，５ｂ）  側面部
６  取出口
６１  ミシン目
６１ａ  第１ミシン目
６１ｂ  第２ミシン目
７  蓋部
７ａ  ヒンジ軸
７１  天面蓋部
７２  正面蓋部
７２ａ  幅広部
７２ｃ  切断部
７２ａ１  等幅部位（被係止部）
２０  ロール状シート（家庭用薄葉紙）
１００  ロール状シート収納箱（家庭用薄葉紙収納箱）
６０  取出口
６０１  ミシン目
６０１ａ  第１ミシン目
６０１ｂ  第２ミシン目
７０  蓋部
７０ａ  ヒンジ軸
７０１  天面蓋部
７０２  正面蓋部
７０２ａ  第２直線部（被係止部）
７０２ｃ  切断部
【図１】
0005475552.tif 000007
【図２】
0005475552.tif 000008
【図３】
0005475552.tif 000009
【図４】
0005475552.tif 000010
【図５】
0005475552.tif 000011
【図６】
0005475552.tif 000012
【図７】
0005475552.tif 000013
【図８】
0005475552.tif 000014
【図９】
0005475552.tif 000015